(57)【要約】【課題】  発熱したスマートフォンを効率よく放熱して冷ますことができるスマートフォンケースを提供する。【解決手段】  スマートフォンに外嵌固定して装着される、ポリカーボネート製のケース本体２の略中央部に透孔３を設ける。該透孔３に、厚みがケース本体２の厚みより僅かに大きい熱伝導シート５を嵌合する。ケース本体２の背面に、ケース本体２の背面の全体に被さる大きさを有し、内面が熱伝導シート５に接触するアルミニウム製放熱板６を取着する。該アルミニウム製放熱板６は、その表面にアルマイト加工により微小な凹凸を有する酸化皮膜を形成している。【選択図】図５
0003220696.tif 000002
【実用新案登録請求の範囲】
【請求項１】
スマートフォンに外嵌固定して装着される、ポリカーボネート製のケース本体と、該ケース本体の略中央部に設けた透孔に嵌合する熱伝導シートと、前記ケース本体の背面に取着する、ケース本体の背面の全体に被さる大きさを有し、内面が前記熱伝導シートに接触する、表面にアルマイト加工により微小な凹凸を有する酸化皮膜を形成したアルミニウム製放熱板とからなることを特徴とするスマートフォンケース。
【請求項２】
前記熱伝導シートの厚みを、前記ケース本体の厚みより僅かに大きくしてなる請求項１記載のスマートフォンケース。
【考案の詳細な説明】
【技術分野】
【０００１】
本考案はスマートフォンケースに関し、更に詳細には、発熱したスマートフォンを効率よく放熱して冷ますことができるようになしたスマートフォンケースに係わる。
【背景技術】
【０００２】
スマートフォンは、時に４１℃〜４３℃位に熱くなることがある。その原因としては、次のようなことが挙げられる。（１）バッテリーに起因するもの。バッテリーが劣化するとバッテリーの減りが早くなって充電する頻度が上昇し、充電と放電を頻繁に繰り返すことでバッテリーに大きな負荷がかかることになる。そしてこれに伴って発熱することになるものである。
【０００３】
（２）スマートフォンの環境に起因するもの。高温の場所に置くとスマートフォンも熱くなり、直射日光が当たったり、夏場の室内などに長時間放置したりするとスマートフォンも熱くなる。
【０００４】
（３）ＣＰＵに起因するもの。複数のアプリを同時に起動していたり、負荷の高いアプリを使用していたり、長時間稼働させたりすると、ＣＰＵが活発に働き熱を生み出すことになる。その結果、スマートフォンが内部から発熱し、本体が熱くなるものである。そして、防水機能が付いているスマートフォンは、隙間がないことから内部の熱を逃がしにくく、普通のスマートフォンよりも厚くなりやすくなる。
【０００５】
そして、スマートフォンがこのような原因で熱くなると、表示が乱れたり、充電がしにくくなったり、カメラが起動しなくなる等の種々の不都合が生じることになる。そこで、従来、スマートフォンの発熱問題を簡単に且つ効率よく解消する手段の案出が望まれていた。
【考案の概要】
【考案が解決しようとする課題】
【０００６】
本考案は上記の点に鑑みなされたものであって、スマートフォンへの着脱を簡単、迅速に行うことができ、装着したときには発熱したスマートフォンを効率よく放熱して冷ますことができるようになしたスマートフォンケースを提供しようとするものである。
【課題を解決するための手段】
【０００７】
而して、本考案の要旨とするところは、スマートフォンに外嵌固定して装着される、ポリカーボネート製のケース本体と、該ケース本体の略中央部に設けた透孔に嵌合する熱伝導シートと、前記ケース本体の背面に取着する、ケース本体の背面の全体に被さる大きさを有し、内面が前記熱伝導シートに接触する、表面にアルマイト加工により微小な凹凸を有する酸化皮膜を形成したアルミニウム製放熱板とからなることを特徴とするスマートフォンケースにある。
【０００８】
また、上記構成において、熱伝導シートの厚みを、ケース本体の厚みより僅かに大きくするようになしてもよい。
【考案の効果】
【０００９】
本考案は上記の如き構成であり、スマートフォンに外嵌固定して装着される、ポリカーボネート製のケース本体と、該ケース本体の略中央部に設けた透孔に嵌合する熱伝導シートと、前記ケース本体の背面に取着する、ケース本体の背面の全体に被さる大きさを有し、内面が前記熱伝導シートに接触する、表面にアルマイト加工により微小な凹凸を有する酸化皮膜を形成したアルミニウム製放熱板とからなることを特徴とするものである。これにより、発熱したスマートフォンにケース本体が装着されると、該スマートフォンの最も熱くなった部分が熱伝導シートに直に接触する。そして、スマートフォンの熱は、該熱伝導シートを経て、内面がこれに接触する、ケース本体の背面に取着した、ケース本体の背面の全体に被さる大きさのアルミニウム製放熱板に伝達される。そして、該アルミニウム製放熱板によって放熱され、もってスマートフォンを効率よく冷ますことができるものである。そして更に、該アルミニウム製放熱板は、表面にアルマイト加工により微小な凹凸を有する酸化皮膜が形成され、該酸化皮膜の微小な凹凸により放熱面の面積が拡大されているから、一層効率よく放熱することができるものである。また、スマートフォンへの着脱も、スマートフォンの背面側に装着させるハードケースであるから、簡単、迅速に行うことができるものである。
【００１０】
また、熱伝導シートの厚みを、ケース本体の厚みより僅かに大きくしてなる場合には、発熱したスマートフォンにケース本体を装着したときにおいて、該スマートフォンの背面で熱伝導シートを押し潰す状態となり、もってこれらスマートフォンと熱伝導シートの相互の接触部分の全面にわたる均一な密着性が高まり、熱伝導の確実性と効率を高めることができるものである。
【図面の簡単な説明】
【００１１】
【図１】本考案の実施形態に係るスマートフォンの正面図である。
【図２】同背面図である。
【図３】一部省略して示した図１中Ａ−Ａ切断部拡大端面図である。
【図４】図１中Ｂ−Ｂ切断部端面図である。
【図５】同分解斜視図である。
【図６】同ケース本体の中央部の部分拡大断面図である。
【図７】同スマートフォンに装着された状態の一部省略して示した拡大断面図である。
【図８】同スマートフォンに装着された状態におけるケース本体の中央部の部分拡大断面図である。
【図９】本実施形態に係るスマートフォンケースを用いた場合とこれを用いない場合における温度差を示すグラフである。
【考案を実施するための形態】
【００１２】
以下、本考案を実施するための形態について、図面を参照して説明する。
【００１３】
図中、１はスマートフォンケースである。２は該スマートフォンケース１を構成する、左右に側壁２Ａ、２Ｂを有するケース本体であり、スマートフォンに外嵌固定して装着されるものである。また、該ケース本体２は、ポリカーボネート製とし、また、その厚みＴ１（図６）は本実施形態では１ｍｍとしている。また、該ケース本体２は、その略中央部に、後記熱伝導シートを嵌合する透孔３を設けている。尚、４はカメラレンズ用透孔である。
【００１４】
５は前記ケース本体２に設けた透孔３に嵌合する熱伝導シートである。また、熱伝導シートは、シリコン、アクリル、ポリオレフィン等の樹脂材からなり、セラミックフィラーや金属フィラーを配合することで熱伝導性を高めたものであって、柔軟で密着性にも優れており、本実施形態における熱伝導シート５も公知の適宜のものを選択して用いるものである。また、本実施形態における熱伝導シート５は、その厚みＴ２（図６）を、前記ケース本体２の厚みＴ１（図６）よりも僅かに大きくしており、１．２ｍｍとしている。
【００１５】
６は前記ケース本体２の背面に取着するアルミニウム製放熱板であり、その内面６Ａは前記熱伝導シート５に接触している。また、該アルミニウム製放熱板６は、ケース本体２の背面の全体に被さる大きさとしている。また、該アルミニウム製放熱板６は、その表面にアルマイト（陽極酸化処理）加工により微小な凹凸を有する酸化皮膜を形成している。そして、該アルミニウム製放熱板６は、その外面６Ｂから放熱するものである。尚、その他、図中７はスマートフォンを示すものである。
【００１６】
次に、上記実施形態の作用について説明する。
スマートフォン７に装着するときには、ケース本体２の前面側にスマートフォン７を嵌め込むことによって行うものである。そして、このように装着したときには、発熱したスマートフォン７の最も熱くなった部分が熱伝導シート５に直に接触し、スマートフォン７の熱は、該熱伝導シート５を経て、内面６Ａがこれに接触する、ケース本体２の背面に取着した、ケース本体２の背面の全体に被さる大きさのアルミニウム製放熱板６に伝達される。そして、該アルミニウム製放熱板６によって放熱され、もってスマートフォンを効率よく冷ますことができるものである。そして更に、該アルミニウム製放熱板６は、その表面にアルマイト加工により微小な凹凸を有する酸化皮膜が形成されているから、該酸化皮膜の微小な凹凸により放熱面の面積が拡大され、一層効率よく放熱することができるものである。
【００１７】
また、熱伝導シート５の厚みを、ケース本体２の厚みより僅かに大きくしてなるものであるから、発熱したスマートフォン７にケース本体２を装着するときときにおいて、図７及び図８に示す如く、該スマートフォン７の背面で熱伝導シート５を押し潰す状態となり、もってこれらスマートフォン７と熱伝導シート５の相互の接触部分の全面にわたる均一な密着性が高まり、熱伝導の確実性と効率を高めることができるものである。
【００１８】
図９には本実施形態に係るスマートフォンケースを用いた場合とこれを用いない場合における温度差を示すグラフを示しており、本考案者が行った温度測定実験結果である。尚、図のグラフにおいて下側が本実施形態に係るスマートフォンケースを用いた場合、また上側がこれを用いない場合を示すものである。測定は、ｉＰｈｏｎｅ８（登録商標）のカメラ下（最も熱くなる部分）に温度測定装置を取り付け、ケースの有り無しでｉＰｈｏｎｅ（登録商標）に負荷をかけ（ベンチマーク測定アプリを起動し）、同条件の下温度測定を１０回づつ実行した。実験の結果、３．５〜５℃程度の温度差が認められ、本実施形態に係るケースを用いることによりケース内温度が降下することが分った。
【符号の説明】
【００１９】
１  スマートフォンケース
２  ケース本体
３  透孔
５  熱伝導シート
６  アルミニウム製放熱板
【図１】
0003220696.tif 000003
【図２】
0003220696.tif 000004
【図３】
0003220696.tif 000005
【図４】
0003220696.tif 000006
【図５】
0003220696.tif 000007
【図６】
0003220696.tif 000008
【図７】
0003220696.tif 000009
【図８】
0003220696.tif 000010
【図９】
0003220696.tif 000011